(57)【特許請求の範囲】
【請求項１】
通信マスタ及び携帯端末キーが無線通信を行うにあたって、最初に互いを認証するペアリングを実行することにより、通信に必要なペアリング情報を互いに登録し、以降、前記無線通信を実施可能とする携帯端末キー登録システムにおいて、
外部装置からペアリング実施権限が付与された交換前の旧携帯端末キーを通じ、前記通信マスタをペアリングモードに遷移させるモード切替部を備え、
当該ペアリングモードに移行した前記通信マスタは、以降使用される新携帯端末キーとペアリングを実行して当該新携帯端末キーを自身に登録し、
前記通信マスタ及び携帯端末キーには、通信時の認証で使用するキー情報がともに登録され、前記携帯端末キーが前記通信マスタと通信するには、前記キー情報に基づく認証の成立が課されており、
前記外部装置は、前記旧携帯端末キーから前記キー情報が預けられたときに、前記ペアリング実施権限を前記旧携帯端末キーに付与することを特徴とする携帯端末キー登録システム。
【請求項２】
前記旧携帯端末キーは、自身に登録されていた前記キー情報を前記外部装置に預けて、自身から当該キー情報が削除されたキーであり、
前記新携帯端末キーは、前記旧携帯端末キーのキー情報を前記外部装置に預けたときに発行された移行用パスワードを用い、前記外部装置に預けられた前記キー情報を自身に登録したキーであることを特徴とする請求項１に記載の携帯端末キー登録システム。
【請求項３】
前記外部装置は、どの前記携帯端末キーがどの前記通信マスタに登録されたのかの組み合わせが管理されたデータベースを備え、
前記ペアリング実施権限は、前記データベースが参照されることにより、どの前記通信マスタをペアリングモードに移行することを許可するのかが決められた権限であることを特徴とする請求項１又は２に記載の携帯端末キー登録システム。
【請求項４】
前記ペアリング実施権限には、使用にあたっての制限が付与されている
ことを特徴とする請求項１〜３のうちいずれか一項に記載の携帯端末キー登録システム。
【発明の詳細な説明】
【技術分野】
【０００１】
本発明は、携帯端末キーを通信マスタに登録するときに使用する携帯端末キー登録システムに関する。
【背景技術】
【０００２】
従来、例えば高機能携帯電話等の携帯端末キーを車両の電子キーとして使用する携帯端末キーシステムが周知である（特許文献１等参照）。この種の携帯端末キーが車両とブルートゥース（Bluetooth：登録商標）を通じて通信する場合には、予め携帯端末キーと車両とをペアリングしておく必要がある。ペアリングを行うにあたっては、車両に搭載された車載ＥＣＵをペアリングモードに移行させた上で、車両及び携帯端末キーのペアリングが実行される。
【先行技術文献】
【特許文献】
【０００３】
【特許文献１】特開２０１２−２１５０４７号公報
【発明の概要】
【発明が解決しようとする課題】
【０００４】
ところで、携帯端末キーとして例えば高機能携帯電話を想定した場合、高機能携帯電話は機種変更されることもある。このとき、新しく使用する携帯端末キーを車両の電子キーとして使用するには、ブルートゥース通信を可能とすべく、新携帯端末キーと車両ＥＣＵとをペアリングする必要がある。この場合、車載ＥＣＵをペアリングモードに移行させる必要があるが、モード切り替えには、現在のところ専用の登録ツールが必要である。一般的に、この種の登録ツールは車両販売店で管理されているため、再ペアリングを行おうとするときには、車両販売店に赴かねばならず不便であった。
【０００５】
本発明の目的は、機種変更した後の新携帯端末キーをペアリングするにあたり、その利便性を確保することができる携帯端末キー登録システムを提供することにある。
【課題を解決するための手段】
【０００６】
前記問題点を解決する携帯端末キー登録システムは、通信マスタ及び携帯端末キーが無線通信を行うにあたって、最初に互いを認証するペアリングを実行することにより、通信に必要なペアリング情報を互いに登録し、以降、前記無線通信を実施可能とする構成において、外部装置からペアリング実施権限が付与された交換前の旧携帯端末キーを通じ、前記通信マスタをペアリングモードに遷移させるモード切替部を備え、当該ペアリングモードに移行した前記通信マスタは、以降使用される新携帯端末キーとペアリングを実行して当該新携帯端末キーを自身に登録する。
【０００７】
本構成によれば、通信マスタのキーとして使用していた携帯端末キーを新たなものに変更するにあたり、交換前の旧携帯端末キーが登録されていた通信マスタをペアリングモードに切り替えることが可能なペアリング実施権限が、外部装置から旧携帯端末キーに付与される。これにより、手元に旧携帯端末キーがあれば、その携帯端末キーを用いて通信マスタをペアリングモードに移行させ、交換後に使用する新携帯端末キーと通信マスタとのペアリングを実行することが可能となる。よって、新携帯端末キーをペアリングするにあたって、専用の登録ツール等を必要としないので、ペアリングの利便性を確保することが可能となる。
【０００８】
前記携帯端末キー登録システムにおいて、前記通信マスタ及び携帯端末キーには、通信時の認証で使用するキー情報がともに登録され、前記携帯端末キーが前記通信マスタと通信するには、前記キー情報に基づく認証の成立が課されていることが好ましい。この構成によれば、携帯端末キーを通信マスタのキーとして使用するときには、互いに登録されたキー情報を確認する通信が実行されるので、２者間の通信を、キー情報を用いたセキュリティ性の高いものとすることが可能となる。
【０００９】
前記携帯端末キー登録システムにおいて、前記旧携帯端末キーは、自身に登録されていた前記キー情報を前記外部装置に預けて、自身から当該キー情報が削除されたキーであり、前記新携帯端末キーは、前記旧携帯端末キーのキー情報を前記外部装置に預けたときに発行された移行用パスワードを用い、前記外部装置に預けられた前記キー情報を自身に登録したキーであることが好ましい。この構成によれば、旧携帯端末キーから外部装置にキー情報を預けたときには、旧携帯端末キーからキー情報が削除されるので、旧携帯端末キーが悪用されずに済む。また、旧携帯端末キーから新携帯端末キーにキー情報を移行するときには、移行用パスワードの入力を課すので、キー情報の移行をセキュリティ性よく行うことが可能となる。
【００１０】
前記携帯端末キー登録システムにおいて、前記外部装置は、前記旧携帯端末キーから前記キー情報が預けられたときに、前記ペアリング実施権限を前記旧携帯端末キーに付与することが好ましい。この構成によれば、旧携帯端末キーからキー情報が預けられないと、外部装置からペアリング実施権限が付与されないので、ペアリング実施権限を正しく付与するのに有利となる。
【００１１】
前記携帯端末キー登録システムにおいて、前記外部装置は、どの前記携帯端末キーがどの前記通信マスタに登録されたのかの組み合わせが管理されたデータベースを備え、前記ペアリング実施権限は、前記データベースが参照されることにより、どの前記通信マスタをペアリングモードに移行することを許可するのかが決められた権限であることが好ましい。この構成によれば、携帯端末キー及び通信マスタの組み合わせがデータベースによって管理されるので、携帯端末キーと通信マスタとの紐付けを確認するにあたり、これを効率よく、かつ正確に行うのに有利となる。
【００１２】
前記携帯端末キー登録システムにおいて、前記ペアリング実施権限には、使用にあたっての制限が付与されていることが好ましい。この構成によれば、ペアリング実施権限を無期限に使用させずに済むので、ペアリング実施権限を不正に使用されてしまうのを防止するのに有利となる。
【発明の効果】
【００１３】
本発明によれば、機種変更した後の新携帯端末キーをペアリングするにあたり、その利便性を確保することができる。
【図面の簡単な説明】
【００１４】
【図１】一実施形態の携帯端末キーシステムの構成図。
【図２】携帯端末キー登録システムの構成図。
【図３】旧携帯端末キーからキー情報を新携帯端末キーに移行する手順を示すフローチャート。
【図４】旧携帯端末キーを用いたペアリングの実施手順を示すフローチャート。
【図５】機種変更後の携帯端末キーシステムの状態図。
【発明を実施するための形態】
【００１５】
以下、携帯端末キー登録システムの一実施形態を図１〜図５に従って説明する。
図１に示すように、車両１は、携帯端末キー２を車両キーとして使用可能な携帯端末キーシステム３を備える。携帯端末キー２は、例えば高機能携帯電話（スマートフォン）や専用携帯機にキー機能（専用のアプリケーション）を登録することによって実現される。携帯端末キーシステム３の通信には、例えばブルートゥース（Bluetooth：登録商標）が使用される。
【００１６】
携帯端末キー２は、携帯端末キー２の動作を管理する制御部４と、携帯端末キー２において第１通信（本例はブルートゥース通信）に準じた電波を送受信する第１通信部（アンテナ及び通信回路を含む）５と、外部からの解析攻撃に耐え得るセキュアエレメント６とを備える。制御部４のメモリ７には、第１通信（本例はブルートゥース通信）のペアリングがなされた車両１との紐付けの証拠となるペアリング情報８が書き込み保存されている。セキュアエレメント６には、携帯端末キー２により車両１と無線によるキー照合（ＩＤ照合）を行うときに使用されるキー情報９が書き込み保存されている。キー情報９は、携帯端末キー２の固有のＩＤコードであるキーＩＤと、通信を暗号化するときに使用する暗号鍵とを含む。セキュアエレメント６は、例えばＳＩＭ（Subscriber Identity Module）カードであるとよい。
【００１７】
車両１は、携帯端末キー２とのＩＤ照合の動作を管理する携帯端末キーＥＣＵ１０と、車両１において第１通信（本例はブルートゥース）に準じた電波を送受信する第１通信部１１と、データ書き込み及び読み出しが可能なメモリ１２とを備える。メモリ１２には、車両１に登録された携帯端末キー２のペアリング情報８及びキー情報９が書き込み保存されている。ペアリング情報８は、携帯端末キー２に登録されているものと同じものである。キー情報９は、車両１に登録された携帯端末キー２のキーＩＤ及び暗号鍵を含む。第１通信部１１は、例えばブルートゥーストランシーバである。
【００１８】
携帯端末キー２及び携帯端末キーＥＣＵ１０は、それぞれに同じペアリング情報８が登録されることにより、両者がペアリングされている。ペアリングは、携帯端末キー２及び携帯端末キーＥＣＵ１０の間で初めて第１通信を実行するときに、互いを認証する作業のことをいい、ペアリングが一旦済むと、以降、ペアリングをしなくとも通信を実行することが可能となる。ペアリングは、例えば携帯端末キーＥＣＵ１０の動作モードを「ペアリングモード」に切り替えることが必要であり、ユーザにより入力されたコード情報（ＰＩＮコード、暗証番号、パスキー等）を基にリンクキーが作成され、これがペアリング情報８として両者に登録される。
【００１９】
携帯端末キーシステム３において、車外に位置する携帯端末キー２と車両１との間で、第１通信（ブルートゥース通信）に準じたＩＤ照合（車外ＩＤ照合）が成立すると、例えば車両ドアの施解錠が許可又は実行される。この場合のＩＤ照合には、例えばキーＩＤの正否を確認するキーＩＤ照合と、暗号鍵を用いたチャレンジレスポンス認証とを含むとよい。また、携帯端末キーシステム３において、車内に位置する携帯端末キー２と車両１との間で、第１通信（ブルートゥース通信）に準じたＩＤ照合（車内ＩＤ照合）が成立すると、例えば車両電源の遷移操作（一例はエンジン始動操作）が許可される。なお、携帯端末キー２の車内外判定は、通信時に受信する電波の受信信号強度（ＲＳＳＩ：Received Signal Strength Indicator）から判定するとよい。
【００２０】
図２に示すように、携帯端末キーシステム３は、携帯端末キー２を通信マスタ１５（本例は携帯端末キーＥＣＵ１０）に登録するときに作動する携帯端末キー登録システム１６を備える。本例の携帯端末キー登録システム１６は、携帯端末キー２を新しいものに機種変更したときに、旧携帯端末キー２ａを利用して新携帯端末キー２ｂを通信マスタ１５に登録するものである。すなわち、旧携帯端末キー２ａから通信マスタ１５を「ペアリングモード」に移行させ、新携帯端末キー２ｂを通信マスタ１５に登録するものとなっている。
【００２１】
携帯端末キー登録システム１６は、キー情報９を旧携帯端末キー２ａから新携帯端末キー２ｂに移行するときに作動する移行手続処理部１８を備える。本例の移行手続処理部１８は、旧携帯端末キー２ａ（制御部４ａ）に設けられた１８ａと、新携帯端末キー２ｂ（制御部４ｂ）に設けられた１８ｂとを備える。移行手続処理部１８は、旧携帯端末キー２ａに設けられた第２通信部１９ａを通じて、ネットワーク通信によりセンター２０と通信が可能である。移行手続処理部１８ｂは、新携帯端末キー２ｂに設けられた第２通信部１９ｂを通じて、ネットワーク通信によりセンター２０と通信が可能である。
【００２２】
センター２０は、キー情報９を管理するサーバである。センター２０は、どの旧携帯端末キー２ａがどの携帯端末キーＥＣＵ１０に登録されているのかを管理するデータベース２１を備える。データベース２１には、各携帯端末キーＥＣＵ１０の固有のＩＤであるＥＣＵ−ＩＤと、各携帯端末キー２が有するシリアル番号の位置付けの端末ＩＤと、前述のキーＩＤとの組み合わせが登録されている。
【００２３】
移行手続処理部１８は、旧携帯端末キー２ａからキー情報９をセンター２０に一時的に預け、これをセンター２０から新携帯端末キー２ｂに受け取らせる。また、センター２０は、旧携帯端末キー２ａからキー情報９を預かったとき、旧携帯端末キー２ａが登録されていた携帯端末キーＥＣＵ１０をペアリングモードに遷移させることが可能なペアリング実施権限２２を旧携帯端末キー２ａに付与する。これにより、旧携帯端末キー２ａは、ペアリング実施権限２２を所持することを理由に、ペアリングモード切替要求２３を携帯端末キーＥＣＵ１０に送信することが可能となっている。
【００２４】
携帯端末キー登録システム１６は、第１通信（本例はブルートゥース通信）におけるペアリングを実行するペアリング実行部２４を備える。本例のペアリング実行部２４は、旧携帯端末キー２ａ（制御部４ａ）に設けられた２４ａと、新携帯端末キー２ｂ（制御部４ｂ）に設けられた２４ｂと、通信マスタ１５（携帯端末キーＥＣＵ１０）に設けられた２４ｃとを備える。ペアリング実行部２４は、例えば所定のコード情報（ＰＩＮコード、暗証番号、パスキー等）を基にリンクキーを作成し、これをペアリング情報８として携帯端末キー２及び通信マスタ１５の両者に登録する。
【００２５】
携帯端末キー登録システム１６は、ペアリング実施権限２２が付与された旧携帯端末キー２ａを通じて通信マスタ１５をペアリングモードに遷移させるモード切替部２５を備える。モード切替部２５は、携帯端末キーＥＣＵ１０に設けられる。モード切替部２５は、旧携帯端末キー２ａからペアリングモード切替要求２３を第１通信により受信すると、通信マスタ１５（携帯端末キーＥＣＵ１０）の動作モードを、一般的な通常時にとる「通常モード」から、携帯端末キー２とのペアリングを実行可能な「ペアリングモード」に切り替える。これにより、新携帯端末キー２ｂを通信マスタ１５に登録するペアリングが実施可能になる。
【００２６】
次に、図３〜図５を用いて、携帯端末キー登録システム１６の動作を説明する。
図３に示すように、ステップ１０１において、移行手続処理部１８ａは、旧携帯端末キー２ａに書き込まれているキー情報９を旧携帯端末キー２ａからセンター２０に送信する。この作業としては、例えば旧携帯端末キー２ａにブルートゥース通信（ペアリング機能）のアプリケーションを立ち上げ、このアプリケーションを通じてキー情報９の送信を実行するとよい。
【００２７】
ステップ１０２において、センター２０は、旧携帯端末キー２ａからキー情報９を受信すると、これを一時的に預かる。
ステップ１０３において、センター２０は、旧携帯端末キー２ａからキー情報９を受け付けると、センター２０からキー情報９を引き出すときに必要となる移行用パスワード２８をユーザに発行する。本例の場合、移行用パスワード２８がセンター２０から旧携帯端末キー２ａにインターネット通信を通じて配信されることにより、ユーザに通知される。
【００２８】
また、センター２０は、これまでキー情報９が登録されていた通信マスタ１５（携帯端末キーＥＣＵ１０）をペアリングモードに移行させることが可能なペアリング実施権限２２を、旧携帯端末キー２ａに送信する。ペアリング実施権限２２は、例えば旧携帯端末キー２ａから通知される端末ＩＤやキーＩＤを基に、データベース２１を参照して作成されることにより、どの携帯端末キーＥＣＵ１０をペアリングモードに移行してよいかを指示できる権限となっている。
【００２９】
ステップ１０４において、移行手続処理部１８ａは、センター２０から移行用パスワード２８を受信すると、旧携帯端末キー２ａに登録されているキー情報９をセキュアエレメント６から削除する。これにより、旧携帯端末キー２ａを車両キーとして使用することができなくなる。なお、ここでは、旧携帯端末キー２ａからキー情報９が削除されても、旧携帯端末キー２ａにペアリング情報８は残されたままにされることにより、車両１とのブルートゥース通信は実行可能な状態が確保される。
【００３０】
ステップ１０５において、旧携帯端末キー２ａは、センター２０から取得したペアリング実施権限２２を、自身のメモリ７ａに登録する。これにより、旧携帯端末キー２ａのペアリング実行部２４ａが有効になり、旧携帯端末キー２ａを使用して通信マスタ１５（携帯端末キーＥＣＵ１０）をペアリングモードに切り替えることが可能な状態となる。
【００３１】
ステップ１０６において、ユーザは、携帯端末キー２の機種変更を行う。本例の場合は、旧携帯端末キー２ａから新携帯端末キー２ｂに機種が変更される。なお、機種変更後も旧携帯端末キー２ａはユーザの手元に残しておく。
【００３２】
ステップ１０７において、ユーザは、旧携帯端末キー２ａに通知された移行用パスワード２８を新携帯端末キー２ｂに入力し、センター２０と通信する。このとき、移行手続処理部１８ｂは、移行用パスワード２８を新携帯端末キー２ｂに入力させるように作動し、入力された移行用パスワード２８を、ネットワーク通信を通じてセンター２０に送信する。
【００３３】
ステップ１０８において、センター２０は、新携帯端末キー２ｂから受け付けた移行用パスワード２８の正否を判定する。このとき、移行用パスワードが誤りであれば、処理を強制終了し、移行用パスワードが正しければ、処理を継続する。
【００３４】
ステップ１０９において、センター２０は、新携帯端末キー２ｂから受け付けた移行用パスワード２８が正しいとき、センター２０に預けられていたキー情報９を新携帯端末キー２ｂにネットワーク通信を通じて送信する。
【００３５】
ステップ１１０において、移行手続処理部１８ｂは、センター２０からキー情報９を受信すると、これをセキュアエレメント６ｂに書き込み保存する。これにより、旧携帯端末キー２ａから新携帯端末キー２ｂへのキー情報９の移行が完了し、新携帯端末キー２ｂのキー設定が済む。
【００３６】
図４に示すように、ステップ２０１において、ユーザは、通信マスタ１５（携帯端末キーＥＣＵ１０）をペアリングモードに切り替える操作を、旧携帯端末キー２ａにおいて実行する。この操作としては、例えば旧携帯端末キー２ａにブルートゥース通信（ペアリング機能）のアプリケーションを立ち上げ、このアプリケーションを通じた案内に沿って実行するとよい。
【００３７】
ステップ２０２において、ペアリング実行部２４ａは、旧携帯端末キー２ａで通信マスタ１５（携帯端末キーＥＣＵ１０）をペアリングモードに切り替える操作が実行されると、旧携帯端末キー２ａに保持されたペアリング実施権限２２を基に、通信マスタ１５をペアリングモードに切り替える指令となるペアリングモード切替要求２３を、第１通信（ブルートゥース通信）を通じて通信マスタ１５に送信する。
【００３８】
ステップ２０３において、ペアリング実行部２４ｃは、旧携帯端末キー２ａからペアリングモード切替要求２３を受信すると、これをトリガにして、通信マスタ１５（携帯端末キーＥＣＵ１０）の動作モードを「ペアリングモード」に切り替える。
【００３９】
ステップ２０４において、ペアリングモードが有効となったペアリング実行部２４ｃは、第１通信（ブルートゥース通信）を通じて、新携帯端末キー２ｂとペアリングを実行する。ここでは、新たに第１通信（ブルートゥース通信）が確立する通信端末（携帯端末キー２）を探索するように作動し、通信確立する新携帯端末キー２ｂについてペアリングを開始する。このとき、新携帯端末キー２ｂで新たに入力されたコード情報（ＰＩＮコード、暗証番号、パスキー等）を基にリンクキーが作成され、これが新携帯端末キー２ｂとの通信に必要なペアリング情報２９として作成される。
【００４０】
ステップ２０５において、ペアリング実行部２４ｃは、新携帯端末キー２ｂとのペアリングによって作成されたペアリング情報２９を、通信マスタ１５（携帯端末キーＥＣＵ１０）のメモリ１２に書き込み保存する。
【００４１】
ステップ２０６において、ペアリング実行部２４ｂは、通信マスタ１５（携帯端末キーＥＣＵ１０）とのペアリングによって作成されたペアリング情報２９を、新携帯端末キー２ｂのメモリ７ｂに書き込み保存する。このように、通信マスタ１５（携帯端末キーＥＣＵ１０）及び新携帯端末キー２ｂの両方に同一のペアリング情報２９の書き込みが済むと、新携帯端末キー２ｂと通信マスタ１５とで第１通信（ブルートゥース通信）を行うことが可能となる。これにより、旧携帯端末キー２ａに代えて新携帯端末キー２ｂを車両キーとして使用することが可能となる。
【００４２】
図５に、機種変更後のペアリングが済んだ新携帯端末キー２ｂ及び通信マスタ１５の状態を図示する。同図からも分かるように、新携帯端末キー２ｂには、セキュアエレメント６ｂにキー情報９が登録されるとともに、メモリ７ｂにペアリング情報２９が登録されている。また、通信マスタ１５（携帯端末キーＥＣＵ１０）のメモリ１２には、新携帯端末キー２ｂと同一のペアリング情報２９が書き込まれている。従って、新携帯端末キー２ｂが新たな車両キーとして使用できることが分かる。なお、旧携帯端末キー２ａを車両キーとして使用していたときのペアリング情報８は保持されたままとしているが、これは削除されてもよい。
【００４３】
本実施形態の構成によれば、以下に記載の効果を得ることができる。
（１）携帯端末キー２を機種変更するにあたり、旧携帯端末キー２ａが登録されていた通信マスタ１５をペアリングモードに切り替えることが可能なペアリング実施権限２２が、センター２０から旧携帯端末キー２ａに付与される。これにより、手元に旧携帯端末キー２ａがあれば、これを用いて通信マスタ１５をペアリングモードに移行させ、新携帯端末キー２ｂと通信マスタ１５とのペアリングを実行することが可能となる。よって、新携帯端末キー２ｂをペアリングするにあたって、専用の登録ツール等を必要としないので、ペアリングの利便性を確保することができる。
【００４４】
（２）携帯端末キー２及び通信マスタ１５にキー情報９を登録しておき、これらの通信にあたっては、キー情報９による認証の成立が課される。よって、携帯端末キー２を通信マスタ１５のキーとして使用するときには、互いに登録されたキー情報９を確認する通信が実行されるので、２者間の通信を、キー情報９を用いたセキュリティ性の高いものとすることができる。
【００４５】
（３）旧携帯端末キー２ａは、自身に登録されていたキー情報９をセンター２０に預けて、自身からキー情報９が削除されたキーである。このため、キー情報９をセンター２０に預けた後は、旧携帯端末キー２ａからキー情報９が削除されるので、旧携帯端末キー２ａが悪用されずに済む。
【００４６】
（４）新携帯端末キー２ｂは、移行用パスワード２８を用い、センター２０に預けられたキー情報９を自身に登録したキーである。よって、新携帯端末キー２ｂにキー情報９を付与するにあたっては、移行用パスワード２８の入力を課すので、キー情報９の移行をセキュリティ性よく行うことができる。
【００４７】
（５）センター２０は、旧携帯端末キー２ａからキー情報９が預けられたときに、ペアリング実施権限２２を旧携帯端末キー２ａに付与する。よって、旧携帯端末キー２ａからキー情報９を預けないと、センター２０からペアリング実施権限２２が付与されないので、ペアリング実施権限２２を正しく付与するのに有利となる。
【００４８】
（６）センター２０には、どの携帯端末キー２がどの通信マスタ１５に登録されていたのかの組み合わせが管理されたデータベース２１が設けられている。そして、ペアリング実施権限２２は、データベース２１が参照されることにより、どの通信マスタ１５をペアリングモードに移行することを許可するのかを指定することができる権限として作成される。このように、携帯端末キー２と通信マスタ１５との組み合わせがデータベース２１によって管理されるので、これらの紐付けを確認するにあたり、これを効率よく、かつ正確に行うのに有利となる。
【００４９】
なお、実施形態はこれまでに述べた構成に限らず、以下の態様に変更してもよい。
・ペアリング実施権限２２には、使用にあたっての制限が付与されてもよい。具体的な使用制限としては、例えば使用回数、使用期限（使用時間）などがある。このように、ペアリング実施権限２２に使用制限がかけられれば、ペアリング実施権限２２を不正に使用されてしまうのを防止するのに有利となる。
【００５０】
・ペアリング実施権限２２は、旧携帯端末キー２ａからキー情報９を預かったときに付与されることに限らず、他のタイミングで付与されてもよい。
・ペアリング実施権限２２の付与は、移行用パスワードの発行とは別のステップで実行されてもよい。
【００５１】
・ペアリング実施権限２２を付与する外部装置は、センター２０に限定されず、例えば専用のツール、通信端末（携帯端末キーやタブレット端末等）など、種々の装置に変更することができる。
【００５２】
・ペアリング実施権限２２は、特定の通信マスタ１５をペアリングモードに移行できる情報であればよい。
・ペアリング実施権限２２は、携帯端末キー２をペアリングモードに移行させる権限を有した情報でもよい。
【００５３】
・センター２０において携帯端末キー２がどの通信マスタ１５に紐付くのかの判定は、旧携帯端末キー２ａから得られる種々のデータを頼りに特定することが可能である。すなわち、キー情報９を受け付けたときに旧携帯端末キー２ａがどの通信マスタ１５に登録されていたのかが分かれば、どのような態様に変更してもよい。
【００５４】
・キー情報９は、旧携帯端末キー２ａから新携帯端末キー２ｂに直接渡されてもよい。
・携帯端末キー２は、キー情報９が登録された端末であることに限定されず、通信マスタ１５と通信できる端末であれば、どのような端末としてもよい。
【００５５】
・第１通信は、ブルートゥース以外の他の通信に変更可能である。また、第２通信は、種々のネットワーク通信を採用可能である。
・ペアリングは、携帯端末キー２と通信マスタ１５との通信路を確保するための作業をいい、ペアリング情報８，２９は、ペアリングに必要な情報であれば、種々のものに変更することが可能である。
【００５６】
・車両１は、例えばボディＥＣＵやエンジンＥＣＵ等が設けられていて、ボディＥＣＵにより車両ドアの施解錠が制御され、エンジンＥＣＵによってエンジンが制御される。
次に、上記実施形態及び別例から把握できる技術的思想について、以下に追記する。
【００５７】
（イ）通信マスタ及び携帯端末キーが無線通信を行うにあたって、最初に互いを認証するペアリングを実行することにより、通信に必要なペアリング情報を互いに登録し、以降、前記無線通信を実施可能とする携帯端末キー登録方法において、前記通信マスタをペアリングモードに移行することが許可されたペアリング実施権限を、外部装置から交換前の旧携帯端末キーに付与するステップと、前記ペアリング実施権限が付与された旧携帯端末キーにより、前記通信マスタをペアリングモードに移行させるステップとを備えた。
【００５８】
（ロ）前記携帯端末キー登録方法において、旧携帯端末キーに登録されたキー情報を、当該旧携帯端末キーから外部装置に一時的に預けるステップと、前記旧携帯端末キーから前記外部装置に前記キー情報が預けられたとき、新携帯端末キーが前記外部装置から前記キー情報を引き出すのに必要となる移行用パスワードを発行するステップと、前記移行用パスワードを用いて、前記外部装置に預けてあった前記キー情報を前記新携帯端末キーに受け取らせるステップとを備え、前記ペアリング実施権限は、前記旧携帯端末キーから前記キー情報を前記外部装置に預けたときに、当該外部装置から前記旧携帯端末キーに付与される。
【符号の説明】
【００５９】
２…携帯端末キー、２ａ…旧携帯端末キー、２ｂ…新携帯端末キー、３…携帯端末キー登録システム、８…ペアリング情報、９…キー情報、１０…通信マスタの一例である携帯端末キーＥＣＵ、１５…通信マスタ、２０…外部装置の一例であるセンター、２１…データベース、２２…ペアリング実施権限、２５…モード切替部、２８…移行用パスワード、２９…ペアリング情報。
【図１】
0006445344.tif 000002
【図２】
0006445344.tif 000003
【図３】
0006445344.tif 000004
【図４】
0006445344.tif 000005
【図５】
0006445344.tif 000006